(57)【特許請求の範囲】
【請求項１】
動画から静止画を取り込む指示を行う第１の操作部と、
前記第１の操作部の指示に従って動画から静止画を取り込む静止画取込部と、
動画と、取り込んだ複数の静止画とを同時に表示させる画像データを生成する表示画像出力部と、
前記表示画像出力部で生成された表示画像データに基づいて表示を行う表示部と、
記録対象とする表示静止画に記録識別マークを表示する指示を行なう第２の操作部と、
静止画を記録媒体に記録する指示を行なう第３の操作部と、
前記第３の操作部の指示に従って前記記録識別マークが表示されている静止画を前記記録媒体に記録する記録部と、
を備え、
前記静止画取込部は、前記第１の操作部から取り込み指示を受けると、予め設定された最大表示枚数まで静止画を取り込み、
前記表示画像出力部は、前記静止画取込部が取り込んだ静止画と動画とを同時に表示する表示処理を行い、次に前記第１の操作部の取り込み指示があった場合、前記静止画取込部が新たに取り込んだ静止画に更新し、前記記録識別マークを前記更新静止画に表示し、さらに第２の操作部の指示があれば、その指示のあった静止画像に前記記録識別マークを表示し、
前記記録部は、前記第３の操作部により記録指示を受けると、前記記録識別マークが表示されている静止画を前記記録媒体に記録することを特徴とする画像記録装置。
【請求項２】
前記静止画取込部は、前記第１の操作部から取り込み指示を受けると、所定の時間間隔で前記最大表示枚数まで静止画を取り込むことを特徴とする請求項１に記載の画像記録装置。
【請求項３】
前記静止画取込部は、前記第１の操作部から取り込み指示を受けると、ＭＰＥＧ方式の動画から前記最大表示枚数までＩピクチャの静止画を取り込むことを特徴とする請求項１に記載の画像記録装置。
【請求項４】
第１の操作部から取り込み指示を受けると、動画から予め設定された最大表示枚数まで静止画を取り込むステップと、
動画と、取り込んだ複数の前記静止画とを同時に表示させる画像データを生成するステップと、
前記生成された表示画像データに基づいて表示を行うステップと、
動画面と取り込んだ静止画面とを同時に表示した状態で、次に前記第１の操作部の取り込み指示があった場合、表示中の動画から静止画を取り込み、さらに取り込んだ静止画を新たな静止画として表示用に生成される画像データを更新するステップと、
前記静止画取込部が取り込んだ静止画と動画とを同時に表示する表示処理を行い、次に前記第１の操作部の取り込み指示があった場合、前記静止画取込部が新たに取り込んだ静止画に更新し、前記記録識別マークを前記更新静止画に表示し、記録対象とする表示静止画に前記記録識別マークを表示する指示を行なう第２の操作部の指示があれば、その指示のあった静止画に前記記録識別マークを表示するステップと、
静止画を記録媒体に記録する指示を行う第３の操作部の指示に従って、前記記録識別マークが表示されている静止画を前記記録媒体に記録するステップと、
を備えたことを特徴とする画像記録方法。
【発明の詳細な説明】
【技術分野】
【０００１】
本発明は、動画像を表示させながら静止画をキャプチャしてＨＤ、ＤＶＤ、メモリカード等の記録媒体に記録する画記録装置及び画像記録方法に関する。
【背景技術】
【０００２】
テレビ放送等において、例えば、料理番組におけるレシピの内容、視聴者プレゼントの宛て先、あるいはサッカー選手のシュートの場面等の静止画を記録したいという要望がある。そこで、近年、ＰＣカード、ＨＤ、ＤＶＤなどの記録媒体に動画はもとより、上記静止画を記録することができる画像記録装置が提供されている。例えば、特許文献１には、表示画面の一部に子画面と呼ばれる小さな画面を設け、主画面には動画を表示し、子画面には記録媒体に記録した静止画を圧縮表示する。
【特許文献１】
特開平９−２２４２１３号公報
【発明の開示】
【発明が解決しようとする課題】
【０００３】
しかしながら、特許文献１のテレビ受像機では、動画から静止画を取り込むと、その時点で記録媒体への記録が実行されるので、ユーザが意図しない画像が記録されることがあった。たとえば、ユーザがテレビ画像の動画から記録する価値があると判断して静止画を記録しても、その後さらに記録する価値のある画像が表示される場合がある。この場合も、とりあえず記録媒体に静止画としてすべて記録することになり、不要な画像を多数記録することになって、貴重な記憶容量を無駄に使っていた。さらに不要な画像ファイルは後で削除するなど煩雑な処理が必要となっていた。
【０００４】
また、従来の画像記録装置では、静止画をキャプチャし記録する機能を持たせるために、リモコンなどの操作キーとして動画記録用キーの他に静止画記録用の専用のキーが必要となっていた。このため、キー数を多くしてしまい、操作を装置の小型化を妨げる要因ともなっていた。
【０００５】
本発明は、斯かる実情に鑑み、ユーザの意図しない不要な静止画を記録媒体に記録することなく、記憶容量を有効活用できる画像記録装置及び画像記録方法を提供することを目的とするものである。
【課題を解決するための手段】
【０００６】
本発明の画像記録装置は、動画から静止画を取り込む指示を行う第１の操作部と、前記第１の操作部の指示に従って動画から静止画を取り込む静止画取込部と、動画と、取り込んだ複数の静止画とを同時に表示させる画像データを生成する表示画像出力部と、前記表示画像出力部で生成された表示画像データに基づいて表示を行う表示部と、記録対象とする表示静止画に記録識別マークを表示する指示を行なう第２の操作部と、静止画を記録媒体に記録する指示を行なう第３の操作部と、前記第３の操作部の指示に従って前記記録識別マークが表示されている静止画を前記記録媒体に記録する記録部と、を備え、
前記静止画取込部は、前記第１の操作部から取り込み指示を受けると、予め設定された最大表示枚数まで静止画を取り込み、前記表示画像出力部は、前記静止画取込部が取り込んだ静止画と動画とを同時に表示する表示処理を行い、次に前記第１の操作部の取り込み指示があった場合、前記静止画取込部が新たに取り込んだ静止画に更新し、前記記録識別マークを前記更新静止画に表示し、さらに第２の操作部の指示があれば、その指示のあった静止画像に前記記録識別マークを表示し、前記記録部は、前記第３の操作部により記録指示を受けると、前記記録識別マークが表示されている静止画を前記記録媒体に記録することを特徴とする。
【０００７】
また、本発明の画像記録装置は、前記静止画取込部が、前記第１の操作部から取り込み指示を受けると、所定の時間間隔で前記最大表示枚数まで静止画を取り込むことを特徴とする。
【０００８】
また、本発明の画像記録装置は、前記静止画取込部が、前記第１の操作部から取り込み指示を受けると、ＭＰＥＧ方式の動画から前記最大表示枚数までＩピクチャの静止画を取り込むことを特徴とする請求項１に記載の画像記録装置。前記静止画取込部は、前記第１の操作部から取り込み指示を受けると、所定の時間間隔で前記最大表示枚数まで静止画を取り込むことを特徴とする。
【００１１】
本発明の画像記録方法は、第１の操作部から取り込み指示を受けると、動画から予め設定された最大表示枚数まで静止画を取り込むステップと、動画と、取り込んだ複数の前記静止画とを同時に表示させる画像データを生成するステップと、前記生成された表示画像データに基づいて表示を行うステップと、動画面と取り込んだ静止画面とを同時に表示した状態で、次に前記第１の操作部の取り込み指示があった場合、表示中の動画から静止画を取り込み、さらに取り込んだ静止画を新たな静止画として表示用に生成される画像データを更新するステップと、前記静止画取込部が取り込んだ静止画と動画とを同時に表示する表示処理を行い、次に前記第１の操作部の取り込み指示があった場合、前記静止画取込部が新たに取り込んだ静止画に更新し、前記記録識別マークを前記更新静止画に表示し、記録対象とする表示静止画に前記記録識別マークを表示する指示を行なう第２の操作部の指示があれば、その指示のあった静止画に前記記録識別マークを表示するステップと、静止画を記録媒体に記録する指示を行う第３の操作部の指示に従って、前記記録識別マークが表示されている静止画を前記記録媒体に記録するステップと、を備えたことを特徴とする。
【００１４】
本発明によれば、静止画取込部が静止画をと取り込むと、表示部は、動画面と取り込んだ静止画面とを表示させて、さらに動画を見て新たな静止画を取り込みたいときは、振作部の指示により、新たな静止画に更新可能としているので、ユーザは、動画と静止画を比較しながら、記録したいと考える静止画に更新できる。こうして、一旦静止画を取り込んでも、その後の動画でさらに取り込みたい静止画があれば、それを取り込んで新たな静止画に更新するので、静止画取込用のフレームメモリや記録媒体に不要な静止画を記録することがなく、記憶容量を有効活用でき、また不要な静止画を削除するという操作も不要となる。
【００１５】
また、最大取込枚数までは複数の静止画を取り込みして表示し、最大取込枚数を超える場合には、静止画の更新を行なうので、複数の静止画を比較しながら、ユーザが本当に記録したいと考える静止画のみを取り込んで、記録媒体に記録でき、記録媒体に最小限の情報量として記録できる。
また、動画と静止画を同サイズにして表示すると、新たな静止画を取り込むときに、動画像と静止画の比較が容易となり、簡単に所望の静止画を取り込むことができる。
【００１６】
また、操作部の決定又は確定キーを用いて静止画の更新指示を行なうので、例えばリモコンのキー数を不必要に増やすこと無く更新操作が可能となる。
さらに、静止画キーの押圧操作によって静止画を画面上に表示し、記録キーを押圧操作することによって当該静止画を記録するので、静止画記録専用キーと用動画記録専用キーを設ける必要がない。
【図面の簡単な説明】
【００１７】
【図１】本発明に係る画像記録装置の一実施形態である液晶テレビ受信機の構成を示すブロック図である。
【図２】操作部の外観の例を示す外観図である。
【図３】カード型記録媒体の周辺の構造を示す説明図である。
【図４】静止画をキャプチャする場合の処理手順を示すフローチャートである。
【図５】この静止画の記録処理を行う場合の表示部動作を説明する説明図である。
【図６】本発明に係る画像記録装置の他の実施形態である液晶テレビ受信機の構成を示すブロック図である。
【図７】複数の静止画をキャプチャする場合の処理手順を示すフローチャートである。
【図８】複数の静止画の記録処理を行う場合の表示部動作を説明する説明図である。
【符号の説明】
【００１８】
１  アンテナ
２  受信部
３  選択部
４  静止画取込部
５  画像出力部
５ａ  全体表示処理部
５ｂ  ２分割表示処理部
６  表示部
７  音声出力部
８  スピーカ
９  カード型記録媒体
１０  スロット部
１１  カード制御部
１２  中央制御部
１３  操作部
【発明を実施するための最良の形態】
【００１９】
以下、本発明の実施の形態を図面に基づいて詳細に説明する。
【００２０】
図１は、本発明に係る画像記録装置の一実施形態である液晶テレビ受信機の構成を示すブロック図である。本実施の形態は、図１に示すように、テレビジョン放送信号を受信するアンテナ１と、アンテナ１によって受信されたテレビジョン放送信号を画像検波し画像信号および音声信号を出力する受信部２と、入出力される画像信号を選択切り換えする選択部３と、動画画像信号から静止画をキャプチャする静止画取込部４と、入力された画像信号をＲ，Ｇ，Ｂ信号に変換して出力する画像出力部５と、このＲＧＢ信号に基づいて表示する液晶表示部６と、入力された音声信号を音声出力できるように処理をする音声出力７と、処理された音声信号に基づいて音声出力するスピーカ８と、メモリカード等のカード型記憶媒体９と、カード型記憶媒体９が挿入されるスロット部１０と、スロット部１０に挿入されたカード型記憶媒体９と通信を行うカード制御部１１と、各部を制御する中央制御部１２と、ユーザが中央制御部９に各種の指示を入力する操作部１３とからなる構成である。
【００２１】
ここで、選択部３は、表示部６に表示させたり、カード記録媒体９に記録させる画像信号として、カード記録媒体９の画像や受信部２の画像を選択させる機能を有し、一般的にはセレクタとも呼び、集積回路ＩＣとして実現化されているものもある。
【００２２】
つまり、少なくともカード記録媒体９の画像については、選択部３に対して一方的に出力するラインだけでなく、受信部２の画像を書き込むための入力ラインも機能させるためのラインが存在する。また、この選択部３の機能は受信部２からの画像データに加えて、カードに記録された画像データも同時に選択することも可能であり、本発明の静止画表示時においては受信部２とカード記録媒体９とから受けた画像データを同時に選択して画面上に２画面表示させている。
［００２３］  また、静止画取込部４は、キャプチャした静止画を図示しないフレームメモリに保持するものである。表示部６は、本実施形態では液晶に限るものではなく、ＣＲＴやプラズマディスプレイでもよい。
［００２４］  操作部１３は、リモートコントローラ（以下リモコンと呼ぶ）であり、ユーザが選択した入力操作を、赤外線により液晶テレビに伝送する。図２は、操作部１３の外観の例を示すもので、操作キーとして、電源キー２１、テンキー２２、チャンネル順次選択キー２３、音量キー２４、操作を戻す戻るキー２５、操作を終了する終了キー２６、操作を決定する決定キー２７、表示画面の左右上下方向へカーソルを移動させるカーソルキー２８、再生録画の操作を行う録再キー群２９等から構成される。録再キー群２９の中に、静止画をキャプチャする静止画キー３０と、記録媒体に記録を行う録画キー３１とが含まれる。
［００２５］  次に、カード型記録媒体９の周辺の構造について説明する。
［００２６］  スロット部１０は、図３に示すように、挿入されたカード型記憶媒体９が収納されるカード用コネクタ４１と、カード用コネクタ４１に挿着されたカード型記憶媒体９の取り出しを行うためのプッシュロッド４２と、プッシュロッド４２が排出準備状態に移行したことを検出する排出準備状態検出センサ４３と、カード用コネクタ４１および排出準備状態検出センサ４３からの出力に応じて状態信号を出力する信号検出部４４とからなる。
［００２７］  プッシュロッド４２は、２段階の操作によってカード型記憶媒体９を排出するタイプであり、例えば折れ曲がりタイプのプッシュロッドである。すなわち、カード用コネクタ４１にカード型記憶媒体９が挿着された状態で、図３（ａ）に示すように折れ曲げることにより、突出状態のプッシュロッド４２の誤操作により接続中のカード型記憶媒体９が意に反して排出されてしまうことを防止している。尚、このような排出機構を実現するプッシュロッド４２の具体的実施形態としては、例えば市販のロック状態を有するプッシュスイッチ及びこれに類するスイッチ部材などが挙げられる。
【００２８】
カード型記憶媒体９をカード用コネクタ４１から排出する際には、図３（ａ）に矢印で示す方向にプッシュロッド４２の折れ曲がり部分を回動させ（第１の操作）、図３（ｂ）に示すように、プッシュロッド４２を直線状にした状態で、プッシュロッド４２を図３（ｂ）に矢印で示す方向に押し込むことにより（第２の操作）、図示しないイジェクトレバーを作用させてカード型記憶媒体９を排出させる。
【００２９】
排出準備状態検出センサ４３は、例えば反射型光センサであり、図３に示すように、プッシュロッド４２の折れ曲がり部分を検出する位置に配置され、プッシュロッド４２の折れ曲がり部分の有無を検出することによって、プッシュロッド４２の折れ曲がり部分を回動させる第１の操作が行われて排出準備状態に移行したことを検出し、排出準備状態検出信号を信号検出部４４に出力する。
【００３０】
信号検出部４４は、排出準備状態検出センサ４３からの排出準備状態検出信号が入力されると、カード用コネクタ４１とカード型記憶媒体９との接続状態を検出するカード検出処理を行い、カード用コネクタ４１にカード型記憶媒体９が挿着されている場合には、排出準備状態検出信号をカード制御部１１に出力する。さらに、信号検出部４４は、カード用コネクタ４１とカード型記憶媒体９との接続状態を検出するカード検出処理を行うことで、カード用コネクタ４１からのカード型記憶媒体９の排出を検出し、カード用コネクタ４１からのカード型記憶媒体９の排出が検出されると、排出確認信号をカード制御部１１に出力する。
【００３１】
カード制御部１１は、カード型記憶媒体９に記憶されている画像信号と音声信号とからなる画像データを読み出し、画像信号を画像出力部５に、音声信号を音声出力部７にそれぞれ出力する再生処理と、受信部２から出力される画像信号および音声信号をカード型記憶媒体９に画像データとして書き込む録画処理とを行う。
【００３２】
また、カード制御部１１は、信号検出部４４からの排出準備状態検出信号が入力されると、カード型記憶媒体９との間の通信状態を確認する通信状態確認処理を行い、カード型記憶媒体９と通信中である場合には、音声出力部７を介してスピーカ８から警報を出力すると共に、画像出力部５を介して表示部６に警告表示を行ってユーザに警告を報知することで、ユーザにカード型記憶媒体９の取り出しを中止することを促す。
【００３３】
次に、本実施形態である液晶テレビ受像機の動作について説明する。
この液晶テレビ受像機の受信部２は、操作部１３からユーザが選局したチャンネルに対して、中央制御部１２から制御指示を受けて、アンテナ１によって受信されたテレビジョン放送信号を検波し、画像信号を選択部３へ、音声信号を音声出力部７へ出力する。選択部３は、操作部１３からのユーザ指示により表示部６にテレビジョン画像を表示させる場合は、中央制御部１２の制御により画像信号を画像出力部５と静止画取込部４に出力する。
【００３４】
画像出力部５は、１画面に全体に表示させる全面表示処理部５ａと、２画面に分割表示する２分割処理部５ｂを備えて処理を行う。通常は、全面表示処理部５ａにより、１画面に全体に画像を表示させる。ユーザが動画から静止画をキャプチャしたい場合に、操作部１３の静止画キー３０を押した場合には、画像出力部５の２分割処理部５ｂに切り換えて処理を行い、表示部６の画面を２分割して左側に動画を表示し、右側にキャプチャした静止画を表示する。同時に、静止画取込部４は、中央制御部１２からの制御信号に基づいて、動画から１フレーム分の静止画をキャプチャして図示しないフレームメモリに格納する。そして、受信部２から選択部３を介して出力された画像信号を静止画データとしてフレームメモリに取り込み、この画像信号を画像出力部５に出力する。
【００３５】
ユーザは、２分割表示により、動画部分と静止画部分を同時に確認し、さらにベストショットと思われるシーンがあれば、静止画を更新できる。最終的に、ユーザがベストと思われる静止画をカード型記録媒体９に記録することができる。なお、静止画取込部４の容量が大きい場合は、複数の静止画をフレームメモリに一旦保持しておき、最終的に記録したいと思われる静止画のみを記録する。
【００３６】
次に、静止画をキャプチャする場合の処理について詳細に説明する。図４は、静止画をキャプチャする場合の処理手順を示すフローチャートであり、図５は、この静止画の記録処理を行う場合の表示部動作を説明する説明図である。
【００３７】
図５（ａ）に示すように、全面表示処理部５ａからの表示画像データにより液晶の表示部６にテレビ放送の画像が表示されている。この表示例では、ボールが落下するシーンを表示している。従って、表示部６の画面には、ボールが下方に落下していく画像が表示される（図５（ｂ）参照）。ユーザは図５（ａ）の画像の時、操作部１３の静止画キー３０を押したとする。中央制御部１２は、静止画キー３０が押されたことを確認し（ステップＳ１）、静止画キー３０が押された場合、画像出力部５の全体表示処理部５ａから２分割表示処理部５ｂに切り換える（ステップＳ２）。このとき、静止画取込部４は、中央制御部１２からの制御信号により、ユーザ指定の静止画を一旦フレームメモリに保持し、その画像を画像出力部５に出力する。画像出力部５の２分割表示処理部５ｂは、図５（ｃ）に示すように、画面を２分割し、左側画面に動画を、右側画面にキャプチャした静止画を表示する表示データを表示部６に供給する。
【００３８】
その後、ユーザは、図５（ｂ）の画像、すなわち図５（ｄ）の左側画面の動画の画像が静止画として欲しいと考えた場合、操作部１３の決定キー２７を押す。中央制御部１２は、決定キー２７が押されたかを確認し（ステップＳ３）、押された場合はステップＳ４に進み、その他のキーが押されていた場合はステップＳ５に進む。
【００３９】
ステップＳ４において、中央制御部１２の制御信号により静止画取込部４が図５（ｃ）の画像を取り込んで、静止画を更新する。静止画取込部４が新たな静止画を取り込むことにより画像出力部５の２分割表示処理部５ｂは、右側画面の静止画を新たに取り込んだ画像に更新する。こうして表示部６には、図５（ｄ）のように表示される。そして、再びステップＳ３に戻る。こうして、何度でも静止画取込部４に取り込む静止画を更新できる。
【００４０】
決定キー２７以外のキーが押された場合は、中央制御部１２は、録画キー３１が押されたかを確認し（ステップＳ５）、録画キー３１が押された場合はステップＳ６に進み、その他のキーが押されていた場合はステップＳ７に進む。
【００４１】
ステップＳ６において、録画キー３１が押された時点で、中央制御部１２の制御信号により静止画取込部４の静止画データは、選択部３を介してカード制御部１１に送られ、カード型記録媒体９に記録される。
【００４２】
ステップＳ７において、中央制御部１２が再度静止画キー３０が押されたかを確認し、静止画キー３０が押された場合は、画像出力部５が全面表示処理部５aに切り換わり、表示部６の画面全面に動画を表示する（ステップＳ８）。
【００４３】
こうして、動画と取り込んだ静止画を表示部６において同時に表示させて確認し、さらに取り込んだ静止画を新たな静止画として前回取り込んだ静止画に変えて取り込み表示させる更新を可能としているので、ユーザは、動画と静止画を簡単に比較でき、且つユーザが本当に記録したいと考える静止画のみを取り込んで記録媒体に記録できる。このため、静止画取込部４やカード型記録媒体９に不要な静止画を記録することがなく、記憶容量を有効活用でき、また不要な静止画を記録媒体から削除するという操作も不要となる。
【００４４】
ステップＳ７においては、静止画キー３０が押された場合のみを記載しているが、図２にも記載しているように、戻るキー２５や終了キー２６を押しても、１画面による全体表示に戻る。
また、上記フローチャートでは静止画を記録する場合を記載しているが、静止画モードではない場合に録画キー３１を押した場合は、表示部６に表示されている動画をカード型記録媒体９に記録する。
【００４５】
上記実施形態において、静止画取込部４のフレームメモリは、１画面（１フレーム）分の静止画をキャプチャするものとしているが、複数の静止画をキャプチャできる容量を有るものでもよい。次に、他の実施形態として、詳しく述べる。
【００４６】
図６は、本発明に係る画像記録装置の他の実施形態である液晶テレビ受信機の構成を示すブロック図である。
このテレビ受信機は、アンテナ５１、チューナ５２、動画から静止画をキャプチャする静止画処理部５３、キャプチャした静止画を複数蓄積できる静止画用メモリ５４、画像出力部であるビデオプロセッサ５６、画像信号（動画、静止画）を選択するスイッチ５９、記録再生処理を可能とする制御部を有するスロット部６０、カード型記録媒体である外部メモリ６１、中央制御部であるマイクロコンピュータ（以下、マイコンと略す）６３、リモコン１３からの操作指示を受信する受光部６４、ＲＯＭ６５、液晶表示部６６から構成されている。ビデオプロセッサ５６は、スイッチ５７と、画像表示処理部５８とから構成される。ＲＯＭ６５には、後述する静止画表示最大設定値や記録対象識別マーク等のデータが記録されている。
【００４７】
このテレビ受信機のチューナ５２は、図２に示すリモコン１３からユーザが選局したチャンネルに対して、受光部６４を介してマイコン６３から制御指示を受けて、アンテナ５２によって受信されたテレビジョン放送信号を検波し、画像信号を、静止画処理部５３、スイッチ５９、ビデオプロセッサ５６に出力する。
【００４８】
ビデオプロセッサ５６は、静止画処理部５３がキャプチャした静止画と動画との両方同時表示の処理を画像表示処理部５８で行い、マイコン６３によってスイッチ５７を制御することにより、受信した動画や画像表示処理部５８の画像を選択して液晶表示部６６に表示させる。通常、スイッチ５７はチューナ５２の受信動画を選択しており、液晶表示部６６には動画が全面表示される。ユーザが操作部（リモコン）１３の静止画キー３０を押した場合には、スイッチ５７を画像表示処理部５８の信号に切り換えて、液晶表示部６６の画面を２分割して左側に動画を表示し、右側にキャプチャした静止画を表示する。同時に、静止画処理部４は、マイコン６３からの制御信号に基づいて、動画から１フレーム分の静止画をキャプチャして静止画用メモリ５４に格納する。なお、２分割した右側の静止画は複数表示が可能である。
【００４９】
次に、複数の静止画をキャプチャする場合の処理について詳細に説明する。図７は、複数の静止画をキャプチャする場合の処理手順を示すフローチャートであり、図８は、この静止画の記録処理を行う場合の表示部動作を説明する説明図である。
【００５０】
ビデオプロセッサ５６のスイッチ５７は、チューナ５２の受信信号を選択しており、液晶表示部６６の画面には、図８（ａ）の動画が表示されている。マイコン６３は、ＲＯＭ６５から静止画の最大表示枚数を読み込み設定する。静止画の最大表示枚数は、静止画用メモリ５４の記憶容量と静止画の画像容量から決まる（ステップＳ１１）。従って、静止画の最大表示枚数は、静止画の最大取込枚数といってもよい。
また、ユーザは、ＲＯＭ６５の静止画の最大表示枚数以内であれば、リモコン１３から最大表示枚数を設定することも可能である。この時点では、静止画をキャプチャしていないので、マイコン６３は、静止画枚数ｎ＝０としている。
【００５１】
ユーザは、液晶表示部６６の動画面を見ながらキャプチャしたい場面でリモコンの静止画キー３０を押す（ステップＳ１２）。そのキャプチャ指示信号は、受光部６４を介してマイコン６３に入力され、マイコン６３は、静止画処理部５３にテレビ信号から静止画をキャプチャさせ、その静止画を静止画用メモリ５４に格納させる。
【００５２】
ステップＳ１３において、マイコン６３の制御により、ビデオプロセッサ５６の画像表示処理部５３はスケーリング処理（２画面表示処理）をし、スイッチ５７が画面表示処理部５８の信号を選択して、液晶表示部６６に図８（ｂ）のような２分割画面を表示させる。画像表示処理部５８は、左側には動画（受信信号）、右側には静止画を表示させるが、画像のアスペクト比を維持したまま縮小して、左右同一サイズに表示する。さらに、画像表示部分以外を黒表示とするブランキング処理を行う。静止画の右上に記録対象であることを示す識別表示「●」を表示する。マイコン６３は、静止画枚数ｎを１とし、ブランキング領域に「静止画枚数／設定枚数」である「１／３」を表示させる（ステップＳ１３）。こうして、ユーザは、同一サイズの動画と静止画を比較することができるので、画像をキャプチャすべきか容易に判断できる。
【００５３】
さらに、ユーザが、液晶表示部６６の左側動画を見ていて気にいった画像あれば、リモコンの決定キー２７を押す。マイコン６３は、決定キー２７が入力されたことを確認すると（ステップＳ１４）、静止画枚数ｎ＋１が最大設定値以下であるか否かを確認する（ステップＳ１５）。ここで、静止画枚数ｎは２であり、最大設定値の３より小さいので、ステップＳ１６に進み、静止画枚数ｎ＝ｎ＋１、すなわち静止画枚数を２とする（ステップＳ１６）。
【００５４】
次に、ステップＳ１７において、静止画処理部５３が静止画取込処理を行い、静止画用メモリ５４に静止画を格納すると同時に、データを画像表示処理部５８に送る。画像表示処理部５８は、図８（ｃ）のように、左側に動画、右側に静止画２枚を表示するスケーリング処理を行うと、同時に表示部分以外の部分にブランキング処理を行う。そして、新たに追加表示した下側の静止画の右上に記録対象であることを示す識別表示「●」を表示し、マイコン６３は、静止画枚数を２として、ブランキング領域に「静止画枚数／設定枚数」である「２／３」を表示させ、ステップＳ１４に戻る。
【００５５】
もう一度、決定キー２７が押され、マイコン６３がそれを確認すると（ステップＳ１４）、静止画枚数ｎ＋１は３となって最大設定値の３と同じなので（ステップＳ１５）、ステップＳ１６で静止画枚数ｎを３としてステップＳ１７に進む。ステップＳ１７では、静止画処理部５３が新たな画像をキャプチャし、静止画用メモリ５４には、静止画が３枚格納される。そして、図８（ｄ）に示すように、ビデオプロセッサ５６により、スケーリング処理とブランキング処理がされ、液晶表示部６６の画面の右側に静止画３枚が表示される。そして、新たに表示された記録対象静止画像に識別表示「●」が表示され、ブランキング領域に「静止画枚数／設定枚数」として「３／３」を表示する。
【００５６】
次に、ステップＳ１４に戻り、決定キー２７が押されたことを示す信号がマイコン６３に入力された場合、ステップＳ１５において、静止画枚数ｎ＋１が４であり、最大表示枚数の３を超えるため、ステップＳ１８に進む。なお、ステップＳ１６に進まないので、静止画枚数は３のままである。
【００５７】
ステップＳ１８においては、静止画取込処理部５３が静止画取込処理を行う。そして、古い順から静止画用メモリ５４に格納されている静止画を削除し、新たにキャプチャした静止画を格納し、同時にデータを画像表示処理部５８に送る。画像表示処理部５８は、図８（ｅ）のように、左側に動画、右側に古い静止画の代わって新たに取り込んだ静止画に更新して３枚とし、さらに画像のアスペクト比を維持しながら縮小して表示するスケーリング処理を行うと同時に、表示部分以外の部分にブランキング処理を行う。そして、新たに追加表示した下側の静止画の右上に記録対象であることを示す識別表示「●」を表示し、ブランキング領域に「静止画枚数／最大設定枚数」の「３／３」を表示させる。そして、再びステップＳ１４に戻る。これ以降、決定キー２７が押されて静止画をキャプチャしても、静止画枚数ｎは３のままであり、ステップＳ１８の処理が繰り返される。
なお、ここでは古い順から静止画を削除したが、ユーザに削る静止画を選択させてもよい。
【００５８】
ここまでは静止画をキャプチャする処理であったが、次にキャプチャした静止画の中からベストのものを選択して外部メモリ６１に記録する処理について述べる。
マイコン６３は、決定キー２７が押されずに（ステップＳ１４）、上下左右のカーソルキー２８が押されたことを確認した場合は（ステップＳ１９）、図８（ｆ）に示すように、記録識別マークを、カーソルキー２８に従って表示静止画間で移動させる（ステップＳ２０）。マイコン６３は、カーソルキー２８が押されていない場合、録画キー３１が押されたかを確認し（ステップＳ２１）、録画キー３１が押されている場合、記録識別マークが入力されている静止画のデータを静止画用メモリ５４から読み出して、スイッチ５９を介してスロット部６０に送る。そして、外部メモリ６１に記録する（ステップＳ２２）。
録画キー３１が押されていない場合は、ステップＳ１４に戻る。
【００５９】
ユーザは、２分割表示により、動画部分と静止画部分を同時に確認し、さらにベストショットと思われるシーンがあれば、静止画をキャプチャでき、静止画用メモリ５４に複数の画像を格納できると同時に、その映像を表示できる。そして、最終的に、ユーザがベストと思われる静止画を選択して、カード型記録媒体である外部メモリ６１に記録することができる。
【００６０】
この実施形態では、更新静止画をユーザに選択させているが、例えば、所定の時間間隔で静止画像を取り込むようにしてもよい。この場合は、マイコン６３にタイマー機能を持たせ、所定の時間毎に静止画処理部５３に静止画像をキャプチャさせる。静止画用メモリが３枚分であれば、例えばユーザがリモコン１３の静止画キー３０を押した時点から、所定の時間間隔（例えば、５秒）で３コマを取り込むようにすればよい。さらに、ユーザが他の静止画がよくて決定キーを押した場合、静止画処理部５３は、取り込んだ３枚の静止画を更新して次の３枚を取り込む。
【００６１】
また、所定時間毎に取り込んだ静止画像に対して、マイコン６３が差分処理を行い、所定値以上であれば、静止画として静止画用メモリ５４に格納すると同時に、液晶表示部６６に表示してもよい。静止画用メモリ５４の記憶容量を超えた場合には、古い順から削除して更新していく等の処理を行なう。
【００６２】
また、一度の取込み動作でＭＰＥＧのようなグループ化された画像データをひとまとめに静止画取込部４にキャプチャする場合も考えられる。ＭＰＥＧ等の技術では、１フレームの画像をＩピクチャ、Ｐピクチャ、さらに符号化技術によってはＢピクチャにより符号化する。Ｉピクチャはフレーム内符号化画像であり、そのフレームに対応するデータのみから復号できる。Ｐピクチャ及びＢピクチャは他のフレームを予測画像として参照して符号化されたフレーム間符号化画像であり参照している画像を先に復号しておく必要がある。Ｐピクチャでは片方向の予測（例えば前方向予測）のみが用いられ、Ｂピクチャは両方向の予測（前方向予測および後方向予測）が用いられる。従って、ユーザが静止画キー３０や決定キー２７を押した場合、例えばキーと押した時点から、例えばＩピクチャのみを静止画取込部４のフレームメモリの容量が許す限り、複数格納する。こうして、１回押すだけで複数の異なる静止画像を取り込むことができる。
【図１】
0004592594.tif 000002
【図２】
0004592594.tif 000003
【図３】
0004592594.tif 000004
【図４】
0004592594.tif 000005
【図５】
0004592594.tif 000006
【図６】
0004592594.tif 000007
【図７】
0004592594.tif 000008
【図８】
0004592594.tif 000009